(57)【要約】  送風装置は、回転軸上に設けられた軸部、及び軸部の周囲に設けられた翼を有するプロペラファンと、プロペラファンの風下側に設けられ、空気を通過させる複数の開口を画定するリブを有するファンガードと、を備え、回転軸と平行に見たとき、ファンガードは、軸部と重なって配置された第１領域と、軸部よりも外周側であって翼の回転軌跡よりも内周側に配置された第２領域と、を有しており、回転軸と平行な方向におけるリブの寸法をリブの高さと定義した場合、第１領域でのリブの高さは、第２領域でのリブの高さよりも低い。
2019215783.tif 000002
【特許請求の範囲】
【請求項１】
回転軸上に設けられた軸部、及び前記軸部の周囲に設けられた翼を有するプロペラファンと、
前記プロペラファンの風下側に設けられ、空気を通過させる複数の開口を画定するリブを有するファンガードと、
を備え、
前記回転軸と平行に見たとき、前記ファンガードは、前記軸部と重なって配置された第１領域と、前記軸部よりも外周側であって前記翼の回転軌跡よりも内周側に配置された第２領域と、を有しており、
前記回転軸と平行な方向における前記リブの寸法を前記リブの高さと定義した場合、前記第１領域での前記リブの高さは、前記第２領域での前記リブの高さよりも低い送風装置。
【請求項２】
前記第１領域での前記リブは、円形状の断面形状を有している請求項１に記載の送風装置。
【請求項３】
前記第２領域での前記リブは、前記回転軸と平行に見たとき互いに重なって配置された第１リブ及び第２リブを有しており、
前記第１リブ及び前記第２リブは、いずれも円形状の断面形状を有している請求項１又は請求項２に記載の送風装置。
【請求項４】
前記第１リブ及び前記第２リブは、隙間を介して離れている請求項３に記載の送風装置。
【請求項５】
前記第２領域の全域での前記リブの高さは一定である請求項１〜請求項４のいずれか一項に記載の送風装置。
【請求項６】
前記回転軸と垂直であってかつ前記リブの延伸方向と垂直な方向における前記リブの寸法を前記リブの幅と定義した場合、前記第１領域での前記リブの幅は、当該リブの高さと同一又はそれより大きい請求項１〜請求項５のいずれか一項に記載の送風装置。
【請求項７】
請求項１〜請求項６のいずれか一項に記載の送風装置を備えた空気調和装置用室外機。
【発明の詳細な説明】
【技術分野】
【０００１】
本発明は、ファンガードを備えた送風装置及び空気調和装置用室外機に関するものである。
【背景技術】
【０００２】
特許文献１には、送風ユニットのファンガードが記載されている。このファンガードは、同心配置された多数の環状リブと、周方向に等間隔で配置された多数の放射リブと、を有している。各放射リブ及び各環状リブは、送風ファンからの吹出空気流に沿うように傾斜している。これにより、吹出空気流と放射リブ及び環状リブとの干渉を抑えることができるため、騒音を低減できる。
【先行技術文献】
【特許文献】
【０００３】
【特許文献１】特許第４４０３６９１号公報
【発明の概要】
【発明が解決しようとする課題】
【０００４】
しかしながら、送風ファンのボスの下流側では、空気の流れの向きが時間的に不規則に変動する。このため、ボスの下流側にリブが設けられている場合、当該リブがどのような傾斜角で傾斜していても、当該リブの下流側の空気の流れには大きな乱れが生じ得る。したがって、上記のようなファンガードの構成では、騒音を十分に低減できないという課題があった。【０００５】
本発明は、上述のような課題を解決するためになされたものであり、騒音をより低減できる送風装置及び空気調和装置用室外機を提供することを目的とする。
【課題を解決するための手段】
【０００６】
本発明に係る送風装置は、回転軸上に設けられた軸部、及び前記軸部の周囲に設けられた翼を有するプロペラファンと、前記プロペラファンの風下側に設けられ、空気を通過させる複数の開口を画定するリブを有するファンガードと、を備え、前記回転軸と平行に見たとき、前記ファンガードは、前記軸部と重なって配置された第１領域と、前記軸部よりも外周側であって前記翼の回転軌跡よりも内周側に配置された第２領域と、を有しており、前記回転軸と平行な方向における前記リブの寸法を前記リブの高さと定義した場合、前記第１領域での前記リブの高さは、前記第２領域での前記リブの高さよりも低いものである。
本発明に係る空気調和装置用室外機は、本発明に係る送風装置を備えたものである。
【発明の効果】
【０００７】
本発明では、回転軸と平行に見たとき軸部と重なって配置された第１領域でのリブの高さは、第１領域より外周側に配置された第２領域でのリブの高さよりも低くなっている。このため、第１領域に流入する空気の流れの向きに関わらず、第１領域のリブを当該流れの向きと垂直な平面に投影したときの投影幅を小さくすることができる。したがって、本発明によれば、軸部の下流側で空気の流れの向きが時間的に不規則に変動したとしても、第１領域のリブの下流側で生じる空気の流れの乱れを小さくすることができるため、送風装置の騒音をより低減できる。
【図面の簡単な説明】
【０００８】
【図１】本発明の実施の形態１に係る送風装置を回転軸Ｏを含む平面で切断した構成を模式的に示す図である。
【図２】本発明の実施の形態１に係る送風装置におけるリブ２２の寸法及び角度の定義を説明する図である。
【図３】本発明の実施の形態１に係る送風装置におけるリブ２２の寸法及び角度の定義を説明する図である。
【図４】本発明の実施の形態１に係る送風装置におけるリブ２２の寸法及び角度の定義を説明する図である。
【図５】本発明の実施の形態１に係る送風装置におけるリブ２２の寸法及び角度の定義を説明する図である。
【図６】線状リブ２２ａの下流側での流れの乱れを説明する図である。
【図７】線状リブ２２ａの下流側での流れの乱れを説明する図である。
【図８】本発明の実施の形態１に係る送風装置を備えた空気調和装置用室外機１００の構成を示す正面図である。
【図９】本発明の実施の形態１に係る送風装置を備えた空気調和装置用室外機１００の構成を示す正面図である。
【図１０】本発明の実施の形態１に係る送風装置を備えた空気調和装置用室外機１００の構成を示す正面図である。
【図１１】本発明の実施の形態１の変形例に係る送風装置を回転軸Ｏを含む平面で切断した構成を模式的に示す図である。
【図１２】本発明の実施の形態２に係る送風装置を回転軸Ｏを含む平面で切断した構成を模式的に示す図である。
【図１３】本発明の実施の形態２に係る送風装置における線状リブ２２ａの下流側での流れの乱れを説明する図である。
【図１４】本発明の実施の形態３に係る送風装置を回転軸Ｏを含む平面で切断した構成を模式的に示す図である。
【図１５】線状リブ２２ａの下流側での流れの乱れを説明する図である。
【図１６】線状リブ２２ａの下流側での流れの乱れを説明する図である。
【図１７】本発明の実施の形態３の第１変形例に係る送風装置の線状リブ２２ａの構成を模式的に示す図である。
【図１８】本発明の実施の形態３の第２変形例に係る送風装置の線状リブ２２ａの構成を模式的に示す図である。
【図１９】本発明の実施の形態３に係る送風装置において、互いに重ならないように配置された第１線状リブ及び第２線状リブを有する線状リブの例を示す図である。
【図２０】本発明の実施の形態４に係る送風装置を回転軸Ｏを含む平面で切断した構成を模式的に示す図である。
【図２１】本発明の実施の形態４に係る送風装置のプロペラファン１０の構成を示す正面図である。
【発明を実施するための形態】
【０００９】
実施の形態１．
本発明の実施の形態１に係る送風装置について説明する。本実施の形態に係る送風装置は、空気調和装置用室外機、給湯装置用室外機、又は換気装置などに用いられる。図１は、本実施の形態に係る送風装置を回転軸Ｏを含む平面で切断した構成を模式的に示す図である。図１において、上方は風上側を表しており、下方は風下側を表している。図１に示すように、本実施の形態に係る送風装置は、プロペラファン１０と、プロペラファン１０を駆動するファンモータ１１と、プロペラファン１０の風下側に設けられたファンガード２０と、を有している。プロペラファン１０は、回転軸Ｏ上に設けられたボス１３（軸部の一例）と、ボス１３の周囲に設けられた複数の翼１４と、を有している。ファンガード２０は、プロペラファン１０の吹出口１２を覆うように設けられている。後述するように、送風装置が空気調和装置用室外機１００に搭載される場合、プロペラファン１０及びファンモータ１１は空気調和装置用室外機１００の筐体１０１内部に設けられ、吹出口１２及びファンガード２０は筐体１０１の前面に設けられる（図８等参照）。
【００１０】
ファンガード２０は、空気を通過させる複数の開口２１を画定するリブ２２を有している。リブ２２は、プロペラファン１０の回転軸Ｏと平行に見たとき、直線状又は曲線状に延伸した複数の線状リブ２２ａが組み合わされた構成を有している。すなわち、線状リブ２２ａは、リブ２２の一部を構成している。リブ２２は、樹脂製であってもよいし金属製であってもよい。回転軸Ｏと平行に見たとき、ファンガード２０は、ボス１３と重なって配置された第１領域３１と、ボス１３よりも外周側であって翼１４の外周縁１４ａの回転軌跡よりも内周側に配置された第２領域３２と、を有している。第１領域３１でのリブ２２の高さは、第２領域３２でのリブ２２の高さよりも低くなっている。第２領域３２の全域でのリブ２２の高さは一定であってもよい。
【００１１】
図２〜図５は、本実施の形態に係る送風装置におけるリブ２２の寸法及び角度の定義を説明する図である。図２〜図５では、１つの線状リブ２２ａをその延伸方向と垂直に切断した断面構成を示している。図２〜図５における上下方向は回転軸Ｏと平行な方向を表しており、上方は風上側を表しており、下方は風下側を表している。
【００１２】
図２に示す線状リブ２２ａは、一方向に長い長円状の断面形状を有している。線状リブ２２ａの延伸方向と垂直な断面において、線状リブ２２ａの長径方向は、回転軸Ｏと概ね平行になっている。本実施の形態では、回転軸Ｏと平行な方向における線状リブ２２ａの寸法のことを線状リブ２２ａの高さＬｄと定義する。線状リブ２２ａの高さＬｄは、線状リブ２２ａの風上側の端点２２ａ１と、線状リブ２２ａの風下側の端点２２ａ２と、の間の回転軸Ｏと平行な方向における距離と等しい。ある領域でのリブ２２の高さとは、当該領域に存在する線状リブ２２ａの高さＬｄのことである。また、線状リブ２２ａの延伸方向と垂直な断面において、回転軸Ｏと垂直な方向における線状リブ２２ａの寸法の最大値のことを線状リブ２２ａの幅Ｌｗと定義する。
【００１３】
図３に示す線状リブ２２ａは、一方向に長い長方形状の断面形状を有している。線状リブ２２ａの延伸方向と垂直な断面において、線状リブ２２ａの長径方向は、回転軸Ｏと概ね平行になっている。線状リブ２２ａの高さＬｄは、風上側の端辺２２ａ３の中心２２ａ５と、風下側の端辺２２ａ４の中心２２ａ６と、の間の回転軸Ｏと平行な方向における距離と等しい。
【００１４】
図４に示す線状リブ２２ａは、一方向に長い長円状の断面形状を有している。線状リブ２２ａの高さＬｄは、風上側の端点２２ａ１と、風下側の端点２２ａ２と、の間の回転軸Ｏと平行な方向における距離と等しい。また、線状リブ２２ａの延伸方向と垂直な断面において、線状リブ２２ａの長径方向は、回転軸Ｏ又は回転軸Ｏと平行な直線に対して傾いている。線状リブ２２ａの延伸方向と垂直な断面において、長径方向に平行な直線（例えば、端点２２ａ１と端点２２ａ２とを結ぶ直線）と、回転軸Ｏ又は回転軸Ｏと平行な直線と、のなす角度を線状リブ２２ａの傾斜角θと定義する。
【００１５】
図５に示す線状リブ２２ａは、一方向に長い平行四辺形状の断面形状を有している。線状リブ２２ａの高さＬｄは、風上側の端辺２２ａ３の中心２２ａ５と、風下側の端辺２２ａ４の中心２２ａ６と、の間の回転軸Ｏと平行な方向における距離と等しい。また、線状リブ２２ａの延伸方向と垂直な断面において、線状リブ２２ａの長径方向は、回転軸Ｏ又は回転軸Ｏと平行な直線に対して傾斜角θで傾いている。
【００１６】
プロペラファン１０から吹き出される空気における局所的な流れの向きは、翼１４の径方向位置に応じて、回転軸Ｏに対し傾斜している。第２領域３２に存在する線状リブ２２ａは、空気の流れの向きに合わせて傾斜するように形成されている。これにより、プロペラファン１０から吹き出される空気の流れを線状リブ２２ａに沿わせることができるため、線状リブ２２ａの下流側での流れの乱れを抑制することができる。しかしながら、ボス１３の下流側での空気の流れの向きＦ１（図１参照）は、時間的に不規則に変動する。このため、ボス１３の下流側に位置する第１領域３１では、線状リブ２２ａがどのような向きにどのような傾斜角で傾斜していても、空気の流れを常に線状リブ２２ａに沿わせることは困難である。したがって、第２領域３２に存在する線状リブ２２ａの下流側では、空気の流れに大きな乱れが生じ得る。
【００１７】
これに対し、本実施の形態では、ファンガード２０の第１領域３１でのリブ２２の高さは、第２領域３２でのリブ２２の高さよりも低くなっている。このため、第１領域３１では、空気の流れの向きと線状リブ２２ａの長径方向とが一致していなかったとしても、流れが衝突する線状リブ２２ａの投影幅を小さくすることができる。したがって、本実施の形態によれば、線状リブ２２ａの下流側での空気の流れの乱れを小さくすることができる。
【００１８】
図６及び図７は、線状リブ２２ａの下流側での流れの乱れを説明する図である。図６は、線状リブ２２ａの高さが相対的に高い場合を示し、図７は、線状リブ２２ａの高さが相対的に低い場合を示している。図６及び図７における上下方向は回転軸Ｏと平行な方向を表しており、上方は風上側を表しており、下方は風下側を表している。図６に示すように、線状リブ２２ａの高さが相対的に高い場合、空気の流れの向きＦ１と線状リブ２２ａの長径方向とが一致していないときには、線状リブ２２ａを流れの向きと垂直な平面に投影したときの投影幅が大きくなる。このため、線状リブ２２ａの下流側では大きな剥離が生じる。一方、図７に示すように、線状リブ２２ａの高さが相対的に低い場合、空気の流れの向きＦ１と線状リブ２２ａとが一致していなかったとしても、線状リブ２２ａを流れの向きと垂直な平面に投影したときの投影幅を小さくすることができる。したがって、線状リブ２２ａの下流側で生じる剥離を小さくすることができる。
【００１９】
図８〜図１０は、本実施の形態に係る送風装置を備えた空気調和装置用室外機１００の構成を示す正面図である。図８〜図１０では、本実施の形態におけるリブ２２の形状の例を併せて示している。図８〜図１０では、リブ２２の第１領域３１を白抜きで示しており、リブ２２の第２領域３２をハッチングで示している。
【００２０】
図８〜図１０に示すように、空気調和装置用室外機１００は、筐体１０１と、筐体１０１内に収容されたプロペラファン１０と、を有している。筐体１０１の前面には、リブ２２を有するファンガード２０が設けられている。図８〜図１０では、ファンガード２０のうちリブ２２のみを示している。筐体１０１内には、冷凍サイクル装置の一部を構成し、冷媒と室外空気との熱交換を行う室外熱交換器（図示せず）が収容されている。室外熱交換器は、プロペラファン１０による空気の流れにおいて、プロペラファン１０よりも上流側に配置されている。
【００２１】
図８に示す例では、リブ２２は、左右方向に延伸した複数の直線状の線状リブ２２ａを有している。図８では、８つの線状リブ２２ａを示している。リブ２２は、上下方向に延伸した複数の直線状の線状リブ２２ａを有していてもよい。図９に示す例では、リブ２２は、ファンガード２０の中心部（例えば、プロペラファン１０の回転軸Ｏ）から外周側に向かって放射状に延伸した複数の直線状又は曲線状の線状リブ２２ａを有している。図９では、８つの線状リブ２２ａを示している。図１０に示す例では、リブ２２は、ファンガード２０の中心部（例えば、プロペラファン１０の回転軸Ｏ）を共通の中心として同心円状に配置された複数の線状リブ２２ａを有している。図１０では、５つの線状リブ２２ａを示している。本実施の形態のファンガード２０は、図８〜図１０に示したリブ２２のいずれか１つを単独で有していてもよいし、図８〜図１０に示したリブ２２のいずれか２つ以上が組み合わされた構成を有していてもよい。
【００２２】
図１１は、本実施の形態の変形例に係る送風装置を回転軸Ｏを含む平面で切断した構成を模式的に示す図である。図１１に示すように、本変形例のファンガード２０は、中心部に設けられた平板状の平板部２３と、平板部２３の周囲に設けられたリブ２２と、を有している。平板部２３は、回転軸Ｏと平行に見たとき、ボス１３よりも小径となっている。回転軸Ｏと平行に見たとき、ボス１３の一部は平板部２３と重なっており、ボス１３の他の一部は平板部２３からはみ出している。リブ２２の少なくとも一部は、ボス１３と重なる第１領域３１に形成されている。本変形例においても、第１領域３１でのリブ２２の高さは、第２領域３２でのリブ２２の高さよりも低くなっている。
【００２３】
以上説明したように、本実施の形態に係る送風装置は、回転軸Ｏ上に設けられたボス１３、及びボス１３の周囲に設けられた翼１４を有するプロペラファン１０と、プロペラファン１０の風下側に設けられ、空気を通過させる複数の開口２１を画定するリブ２２を有するファンガード２０と、を備えている。回転軸Ｏと平行に見たとき、ファンガード２０は、ボス１３と重なって配置された第１領域３１と、ボス１３よりも外周側であって翼１４の外周縁１４ａの回転軌跡よりも内周側に配置された第２領域３２と、を有している。回転軸Ｏと平行な方向におけるリブ２２の寸法をリブ２２の高さと定義した場合、第１領域３１でのリブ２２の高さ（例えば、第１領域３１に存在する線状リブ２２ａの高さＬｄ）は、第２領域３２でのリブ２２の高さ（例えば、第２領域３２に存在する線状リブ２２ａの高さＬｄ）よりも低い。ここで、ボス１３は軸部の一例である。
【００２４】
この構成によれば、ファンガード２０の第１領域３１に流入する空気の流れの向きに関わらず、第１領域３１のリブ２２を当該流れの向きと垂直な平面に投影したときの投影幅を小さくすることができる。したがって、本実施の形態によれば、ボス１３の下流側で空気の流れの向きが時間的に不規則に変動したとしても、第１領域３１のリブ２２の下流側で生じる空気の流れの乱れを小さくすることができるため、送風装置の騒音をより低減できる。
【００２５】
また、本実施の形態に係る送風装置において、第２領域３２の全域でのリブ２２の高さは一定であってもよい。第２領域３２に流入する空気の流れの向きには、時間的な変動が少ない。このため、線状リブ２２ａが空気の流れの向きに合わせて傾斜するように形成されていれば、第２領域３２の全域でのリブ２２の高さが一定であっても、リブ２２の下流側での流れの乱れを抑制することができる。
【００２６】
また、本実施の形態に係る空気調和装置用室外機１００は、上記送風装置を備えるものである。この構成によれば、空気調和装置用室外機１００において、上記と同様の効果を得ることができる。
【００２７】
本実施の形態では、図１等に示したように、第１領域３１の全域でのリブ２２の高さが、第２領域３２でのリブ２２の高さよりも低いことが望ましい。ただし、第１領域３１の一部でのリブ２２の高さが第２領域３２でのリブ２２の高さよりも低ければ、上述の効果が得られる。すなわち、第１領域３１の一部でのリブ２２の高さが第２領域３２でのリブ２２の高さよりも低ければ、第１領域３１の他の一部でのリブ２２の高さは、第２領域３２でのリブの高さと同一又はそれより高くてもよい。
【００２８】
実施の形態２．
本発明の実施の形態２に係る送風装置について説明する。図１２は、本実施の形態に係る送風装置を回転軸Ｏを含む平面で切断した構成を模式的に示す図である。本実施の形態は、第１領域３１のリブ２２の形状において実施の形態１と異なっている。なお、実施の形態１と同一の機能及び作用を有する構成要素については、同一の符号を付してその説明を省略する。図１２に示すように、第１領域３１に存在する複数の線状リブ２２ａのそれぞれは、円形状の断面形状を有している。これらの線状リブ２２ａのそれぞれは、例えば円柱状の形状を有している。第１領域３１に存在する線状リブ２２ａの幅は、当該線状リブ２２ａの高さと同一となる。第１領域３１に存在する線状リブ２２ａの幅は、当該線状リブ２２ａの高さより大きくてもよい。
【００２９】
図１３は、本実施の形態に係る送風装置における線状リブ２２ａの下流側での流れの乱れを説明する図である。図１３における上下方向は回転軸Ｏと平行な方向を表しており、上方は風上側を表しており、下方は風下側を表している。図１３に示すように、線状リブ２２ａをある平面で切断した断面形状が円形状である場合、流入する空気の流れの向きに関わらず、線状リブ２２ａの投影幅をより小さくできる。このため、ボス１３の下流側で空気の流れの向きが変動したとしても、線状リブ２２ａの下流側で生じる剥離をより小さくすることができる。また、上記平面内での空気の流れに対しては、当該流れの向きに関わらず、線状リブ２２ａの投影幅を同一にすることができる。このため、空気の流れの向きがどのように変動したとしても、線状リブ２２ａの下流側で生じる流れの乱れを小さく抑えることができる。
【００３０】
以上説明したように、本実施の形態に係る送風装置は、第１領域３１でのリブ２２は、円形状の断面形状を有している。この構成によれば、ボス１３の下流側で空気の流れの向きが変動したとしても、線状リブ２２ａの下流側で生じる剥離をより小さくすることができる。
【００３１】
また、本実施の形態に係る送風装置は、回転軸Ｏと垂直であってかつリブ２２の延伸方向と垂直な方向におけるリブ２２の寸法をリブ２２の幅と定義した場合、第１領域３１でのリブ２２の幅（例えば、第１領域３１に存在する線状リブ２２ａの幅）は、当該リブの高さ（例えば、当該線状リブ２２ａの高さ）と同一又はそれより大きい。この構成によれば、ボス１３の下流側で空気の流れの向きが変動したとしても、線状リブ２２ａの下流側で生じる剥離をより小さくすることができる。
【００３２】
実施の形態３．
本発明の実施の形態３に係る送風装置について説明する。図１４は、本実施の形態に係る送風装置を回転軸Ｏを含む平面で切断した構成を模式的に示す図である。本実施の形態は、第２領域３２のリブ２２の形状において実施の形態２と異なっている。なお、実施の形態１又は２と同一の機能及び作用を有する構成要素については、同一の符号を付してその説明を省略する。
【００３３】
図１４に示すように、第２領域３２のリブ２２は、回転軸Ｏと平行に見たとき互いに重なって配置された第１リブ２４及び第２リブ２５を有している。第２リブ２５は、第１リブ２４の風下側に配置されている。第１リブ２４は、回転軸Ｏと平行に見たとき、直線状又は曲線状に延伸した複数の第１線状リブ２４ａが組み合わされた構成を有している。複数の第１線状リブ２４ａのそれぞれは、円形状の断面形状を有している。第２リブ２５は、回転軸Ｏと平行に見たとき、複数の第１線状リブ２４ａに沿って直線状又は曲線状に延伸した複数の第２線状リブ２５ａが組み合わされた構成を有している。複数の第２線状リブ２５ａのそれぞれは、円形状の断面形状を有している。
【００３４】
第２領域３２に存在する複数の線状リブ２２ａのそれぞれは、回転軸Ｏと平行に見たとき互いに重なって配置された第１線状リブ２４ａ及び第２線状リブ２５ａを有している。このような場合、線状リブ２２ａの延伸方向と垂直な断面において、第１線状リブ２４ａの風上側の端点と、第２線状リブ２５ａの風下側の端点と、の間の回転軸Ｏと平行な方向における距離が線状リブ２２ａの高さとなる。また、線状リブ２２ａの延伸方向と垂直な断面において、第１線状リブ２４ａの中心と第２線状リブ２５ａの中心とを結ぶ直線と、回転軸Ｏ又は回転軸Ｏと平行な直線と、のなす角度が線状リブ２２ａの傾斜角となる。
【００３５】
線状リブ２２ａを構成する第１線状リブ２４ａ及び第２線状リブ２５ａの断面積は互いに異なっていてもよい。第１線状リブ２４ａ及び第２線状リブ２５ａの少なくとも一方の断面積は、第１領域３１に存在する線状リブ２２ａの断面積と同一であってもよい。線状リブ２２ａは、それぞれ円形状の断面形状を有する３つ以上の線状リブが互いに重なって配置された構成を有していてもよい。
【００３６】
図１５及び図１６は、線状リブ２２ａの下流側での流れの乱れを説明する図である。図１５は、線状リブ２２ａが長円状の断面形状を有する場合を示し、図１６は、本実施の形態のように線状リブ２２ａが第１線状リブ２４ａ及び第２線状リブ２５ａを有する場合を示している。図１５、図１６及び後述する図１７〜図１９において、上下方向は回転軸Ｏと平行な方向を表しており、上方は風上側を表しており、下方は風下側を表している。
【００３７】
図１５に示すように、線状リブ２２ａが長円状の断面形状を有する場合、線状リブ２２ａの傾斜に沿わない向きで流入した空気は、線状リブ２２ａに衝突した後、線状リブ２２ａの上流側端面及び下流側端面に沿って回り込む。上流側端面及び下流側端面では曲率の変化が大きいため、回り込んだ空気は上流側端面及び下流側端面から剥離する。これにより、線状リブ２２ａの下流側の空気の流れには、線状リブ２２ａの投影幅と同程度の幅で乱れが生じる。したがって、送風装置の騒音が大きくなっていた。
【００３８】
これに対し、図１６に示す本実施の形態では、線状リブ２２ａを構成する第１線状リブ２４ａ及び第２線状リブ２５ａがそれぞれ円形状の断面形状を有している。線状リブ２２ａの傾斜に沿わない向きで流入した空気は、第１線状リブ２４ａ及び第２線状リブ２５ａに衝突した後、第１線状リブ２４ａの上流側端面及び第２線状リブ２５ａの下流側端面に沿って回り込む。第１線状リブ２４ａの上流側端面及び第２線状リブ２５ａの下流側端面はいずれも一定の曲率を有していることから、回り込んだ空気は各端面に付着して流れやすくなり、剥離が生じにくくなる。これにより、線状リブ２２ａの下流側で生じる流れの乱れの幅を線状リブ２２ａの投影幅よりも狭くすることができる。したがって、送風装置を低騒音化することができる。
【００３９】
図１７は、本実施の形態の第１変形例に係る送風装置の線状リブ２２ａの構成を模式的に示す図である。第１線状リブ２４ａ及び第２線状リブ２５ａに鋼線が用いられる場合、錆の防止のためのコーティングが施されることがある。図１７に示すように、コーティングが施された線状リブ２２ａは、第１線状リブ２４ａ及び第２線状リブ２５ａと、第１線状リブ２４ａ及び第２線状リブ２５ａの表面に形成されたコーティング膜２６と、を有する。線状リブ２２ａの断面形状はピーナッツ形状となる。このような場合であっても、線状リブ２２ａの上流側端面及び下流側端面のそれぞれが円弧状であれば、上記と同様の効果が得られる。
【００４０】
図１８は、本実施の形態の第２変形例に係る送風装置の線状リブ２２ａの構成を模式的に示す図である。図１８に示すように、第１線状リブ２４ａ及び第２線状リブ２５ａは、隙間２７を介して離れていてもよい。この場合であっても、線状リブ２２ａの延伸方向と垂直な断面において、第１線状リブ２４ａの風上側の端点と、第２線状リブ２５ａの風下側の端点と、の間の回転軸Ｏと平行な方向における距離が線状リブ２２ａの高さＬｄとなる。また、線状リブ２２ａの延伸方向と垂直な断面において、第１線状リブ２４ａの中心と第２線状リブ２５ａの中心とを結ぶ直線と、回転軸Ｏ又は回転軸Ｏと平行な直線と、のなす角度が線状リブ２２ａの傾斜角θとなる。
【００４１】
図１８に示す構成では、線状リブ２２ａの傾斜に沿わない向きで空気が流入したとすると、第１線状リブ２４ａ及び第２線状リブ２５ａに衝突した空気の一部が隙間２７を通過する。このため、線状リブ２２ａの下流側での流れの乱れをさらに小さくすることができる。
【００４２】
以上説明したように、本実施の形態に係る送風装置において、第２領域３２でのリブ２２（例えば、線状リブ２２ａ）は、回転軸Ｏと平行に見たとき互いに重なって配置された第１リブ（例えば、第１線状リブ２４ａ）及び第２リブ（例えば、第２線状リブ２５ａ）を有している。第１リブ及び第２リブは、いずれも円形状の断面形状を有している。この構成によれば、第２領域３２の線状リブ２２ａにおける上流側端面及び下流側端面の曲率をそれぞれ一定にすることができる。したがって、第２領域３２において線状リブ２２ａの傾斜に沿わない向きで空気が流入したとしても、線状リブ２２ａの下流側での流れの乱れを小さくすることができる。
【００４３】
また、本実施の形態に係る送風装置において、第１リブ及び第２リブは、隙間２７を介して離れている。この構成によれば、第１線状リブ２４ａ及び第２線状リブ２５ａに衝突した空気の一部が隙間２７を通過するため、線状リブ２２ａの下流側での流れの乱れをさらに小さくすることができる。
【００４４】
これまでの例では、１つの線状リブ２２ａを構成する第１線状リブ２４ａ及び第２線状リブ２５ａは、回転軸Ｏと平行に見たとき互いに重なって配置されているが、これに限られない。１つの線状リブ２２ａは、回転軸Ｏと平行に見たとき互いに重ならないように配置された第１線状リブ２４ａ及び第２線状リブ２５ａによって構成されていてもよい。
【００４５】
図１９は、本実施の形態に係る送風装置において、互いに重ならないように配置された第１線状リブ及び第２線状リブを有する線状リブの例を示す図である。図１９に示すように、第１線状リブ２４ｂ１、２４ｂ２と第２線状リブ２５ｂ１、２５ｂ２とを回転軸Ｏに垂直な平面に投影したとき、第１線状リブ２４ｂ１は、第２線状リブ２５ｂ１及び第２線状リブ２５ｂ２の双方と隙間を介して隣り合っている。第１線状リブ２４ｂ１と第２線状リブ２５ｂ１との間隔Ｓ１は、第１線状リブ２４ｂ１と第２線状リブ２５ｂ２との間隔Ｓ２よりも短い。この場合、１つの線状リブ２２ｂ１は、第１線状リブ２４ｂ１及び第２線状リブ２５ｂ１によって構成される。すなわち、第１線状リブ２４ｂ１の風上側の端点と、第２線状リブ２５ｂ１の風下側の端点と、の間の回転軸Ｏと平行な方向における距離が線状リブ２２ｂ１の高さＬｄとなる。また、第１線状リブ２４ｂ１の中心と第２線状リブ２５ｂ１の中心とを結ぶ直線と、回転軸Ｏ又は回転軸Ｏと平行な直線と、のなす角度が線状リブ２２ｂ１の傾斜角θとなる。
【００４６】
実施の形態４．
本発明の実施の形態４に係る送風装置について説明する。図２０は、本実施の形態に係る送風装置を回転軸Ｏを含む平面で切断した構成を模式的に示す図である。図２１は、本実施の形態に係る送風装置のプロペラファン１０の構成を示す正面図である。本実施の形態は、プロペラファン１０の形状において実施の形態１〜３と異なっている。なお、実施の形態１〜３と同一の機能及び作用を有する構成要素については、同一の符号を付してその説明を省略する。
【００４７】
図２０及び図２１に示すように、本実施の形態のプロペラファン１０は、ボスを備えないか又はボスが縮小された、いわゆるボスレス型のプロペラファンである。プロペラファン１０は、複数の翼１４と、複数の翼１４のうち周方向で隣り合う２つの翼１４同士を接続する複数の接続部１５と、を有している。接続部１５は、例えば板状の形状を有している。接続部１５の外周側の縁部１５ａは、プロペラファン１０の回転方向で前方に位置する翼１４の後縁１４ｂと、同回転方向で後方に位置する翼１４の前縁１４ｃと、を接続している。このような構成を有するプロペラファン１０では、回転軸Ｏを中心とし縁部１５ａに内接する仮想円筒面Ｃ１よりも内周側の領域が、プロペラファン１０の軸部１６に該当する。
【００４８】
回転軸Ｏと平行に見たとき、ファンガード２０は、軸部１６に重なって配置された第１領域３１と、軸部１６よりも外周側であって翼１４の外周縁１４ａの回転軌跡よりも内周側に配置された第２領域３２と、を有している。第１領域３１でのリブ２２の高さが第２領域３２でのリブ２２の高さよりも低い点は、実施の形態１と同様である。本実施の形態によれば、実施の形態１と同様の効果が得られる。本実施の形態のプロペラファン１０は、実施の形態２又は３のファンガード２０と組み合わせることもできる。
【符号の説明】
【００４９】
１０  プロペラファン、１１  ファンモータ、１２  吹出口、１３  ボス、１４  翼、１４ａ  外周縁、１４ｂ  後縁、１４ｃ  前縁、１５  接続部、１５ａ  縁部、１６  軸部、２０  ファンガード、２１  開口、２２  リブ、２２ａ、２２ｂ１  線状リブ、２２ａ１、２２ａ２  端点、２２ａ３、２２ａ４  端辺、２２ａ５、２２ａ６  中心、２３  平板部、２４  第１リブ、２４ａ、２４ｂ１、２４ｂ２  第１線状リブ、２５  第２リブ、２５ａ、２５ｂ１、２５ｂ２  第２線状リブ、２６  コーティング膜、２７  隙間、３１  第１領域、３２  第２領域、１００  空気調和装置用室外機、１０１  筐体、Ｃ１  仮想円筒面、Ｏ  回転軸。
【図１】
2019215783.tif 000003
【図２】
2019215783.tif 000004
【図３】
2019215783.tif 000005
【図４】
2019215783.tif 000006
【図５】
2019215783.tif 000007
【図６】
2019215783.tif 000008
【図７】
2019215783.tif 000009
【図８】
2019215783.tif 000010
【図９】
2019215783.tif 000011
【図１０】
2019215783.tif 000012
【図１１】
2019215783.tif 000013
【図１２】
2019215783.tif 000014
【図１３】
2019215783.tif 000015
【図１４】
2019215783.tif 000016
【図１５】
2019215783.tif 000017
【図１６】
2019215783.tif 000018
【図１７】
2019215783.tif 000019
【図１８】
2019215783.tif 000020
【図１９】
2019215783.tif 000021
【図２０】
2019215783.tif 000022
【図２１】
2019215783.tif 000023
【国際調査報告】
2019215783.tif 000024
2019215783.tif 000025
2019215783.tif 000026